(57)【要約】【課題】  アンテナを介してチューナに供給される受信信号をアンテナ出力端子より出力する場合に、混入するノイズを低減するチューナ及び妨害波低減方法並びに電子機器を得る。【解決手段】  チューナシールドケース２７に内蔵したチューナ基板２０のＧＮＤに接地した接地ライン３３をＧＮＤ１に接地した金属性のチューナシールドケース２７に半田付などで固定し、チューナ基板２０のＧＮＤの電位とチューナシールドケース２７のＧＮＤ１の電位を同電位とすることによりチューナ１２及び電子機器よりの不要輻射を低減する。【選択図】      図１
2006203579.tif 000002
【特許請求の範囲】
【請求項１】
アンテナからの受信信号をチューナシールドケース内のチューナ基板を介して受信し、該チューナ回基板の該アンテナの出力端子より該アンテナ信号を送出する様にしたチューナに於いて、
前記チューナ基板のアンテナの出力端子の接地電位を前記チューナシールドケースの接地電位と同じに成るように接続したことを特徴とするチューナ。
【請求項２】
前記アンテナの出力端子が前記チューナ基板内に配されたフイルタ回路であり、前記チューナシールドケースと前記チューナ回路基板の該フイルタ回路の出力端子の接地端子間を半田付けすることを特徴とする請求項１記載のチューナ。
【請求項３】
アンテナからの受信信号をチューナシールドケース内のチューナ基板を介して受信し、該チューナ基板の該アンテナの出力端子より該アンテナ信号を送出する様にしたチューナの妨害波低減方法に於いて、
前記チューナ基板の前記アンテナの出力端子の接地電位を前記チューナシールドケースの接地電位と同じに成るように接続したことを特徴とするチューナの妨害波低減方法。
【請求項４】
前記アンテナの出力端子が前記チューナ基板内に配されたフイルタ回路であり、前記チューナシールドケースと前記チューナ基板の該フイルタ回路の出力端子の接地端子間を半田付けして接地電位を強化することを特徴とする請求項４記載のチューナの妨害波低減方法。
【請求項５】
アンテナからの受信信号をチューナシールドケース内のチューナ基板を介して受信し、該チューナ基板の該アンテナの出力端子より該アンテナ信号を送出する様にしたチューナを有する電子機器に於いて、
前記チューナ基板のアンテナの出力端子の接地電位を前記チューナシールドケースの接地電位と同じに成るように接続したことを特徴とする電子機器。
【発明の詳細な説明】
【技術分野】
【０００１】
本発明は、アンテナからの受信信号を受信し、チューナを介してアンテナ信号をＶＴＲ等に送出するチューナ及び妨害波低減方法並びに電子機器に係わり、特に、アンテナ受信信号がチューナのアンテナ出力端子近傍を経由する際に生ずる妨害波を減衰或いは遮断するようにしたチューナ及び妨害波低減方法並びに電子機器に関するものである。
【背景技術】
【０００２】
従来から、人体が携帯無線機のアンテナに影響を与え、無線周波数の電波を吸収および散乱させ、人体が携帯無線機に近接することによって、そのアンテナのインピーダンスを変動させることを防止するため、アンテナのインピーダンスを最適値となるように予め設定しても、通話時にユーザの頭部が携帯無線機に近接することによって、アンテナのインピーダンスが最適値からシフトしてしまうという問題に対処するために、アンテナに可変リアクタンス回路を接続し、これによってアンテナのインピーダンスを調節して、送信波を歪ませることなくアンテナのインピーダンス特性を微調整することができる携帯無線機が特許文献１に開示されている。
【０００３】
図４（Ａ）は、特許文献１に開示された携帯無線機１０の模式図である。携帯無線機１０は、筐体１、受信アンテナ２、送信アンテナ３、受信回路４、送信回路５、可変リアクタンス回路６及び制御回路３０を備えている。携帯無線機１０は、時分割多重（ＴＤＭ：Ｔｉｍｅ Ｄｉｖｉｓｉｏｎ Ｍｕｌｔｉｐｌｅｘ）によって信号の送受信を行う。
【０００４】
受信アンテナ２、送信アンテナ３および可変リアクタンス回路６は筐体１の外側の表面に配置されていて、送受信アンテナ２、３の少なくとも一部が筐体１の表面に固定（または半固定）されている。受信回路４、送信回路５及び制御回路３０は、筐体１に内蔵されている。
【０００５】
筐体１は送受信された信号が伝播する導体から成る。例えば、筐体１は金属などの導電又はプラスチックの表面に鍍金して形成されたか筐体或いは金属などの導電体から成る板状の地板である。地板の場合には、受信回路４、送信回路５、制御回路７は地板の表面に配置される。
【０００６】
信号を受信するために用いられる受信アンテナ２及び信号を送信するために用いられる送信アンテナ３は互いに分離されている。この場合、受信アンテナ２はモノポールアンテナである。受信アンテナ２は可変リアクタンス回路６に接続されており、可変リアクタンス回路６は給電点７において筐体１に接続され、送信アンテナ３は筐体１に接続されている。
【０００７】
筐体１は、受信アンテナ２と接続することによって、受信波および送信波と共振するように設計される。受信回路４は、受信アンテナ２に接続され、受信アンテナ２を介して信号を受信する。送信回路５は、送信アンテナ３に接続され、送信アンテナ３を介して信号を送信する。
【０００８】
制御回路３０は、受信回路４、送信回路５及び可変リアクタンス回路６に接続され、受信された信号または送信する信号に基づいて可変リアクタンス回路６を制御する。図５（Ｂ）は可変リアクタンス回路６の具体例を示す回路図である。この可変リアクタンス回路６は、ダイオードＣＤ、インダクタンスＬ１及びＬ２、コンデンサＣ１、Ｃ２を有する。端子ＥＡは受信アンテナ２に接続され、端子ＥＢは受信回路４に接続され、端子ＥＣはグランドに接続され、端子ＥＤは制御回路７に接続されている。即ち、可変リアクタンス回路６の端子ＥＣを介して受信アンテナ２が接地電位に接続した回路構成が示されている。
【０００９】
又、特許文献２にはアンテナの同軸コードの外側導体が接地線を介してセツトの基準グランドに接続するアンテナ装置が開示されている。この構成を図５で説明する。図５に於いて、８は車内アンテナを示し、同軸コード９の他端のミニプラグ１１Ｐと、テレビジョン用のチューナ１２に設けられたミニジャック１１Ｊとを接続することにより、アンテナ８とチューナ１２とが接続され、このチューナ１２に接続されたテレビジョンモニタ１３に所望の映像を映出する。
【００１０】
又、アンテナ８の給電部に格納された印刷配線基板１３には、適宜のコイルＬ３、Ｌ４及びコンデンサＣ３、Ｃ４からなる回路網と、変成器構成のバルン１４とが搭載されており、このバルン１４の第１のコイルＬ５を通じて、一方のアンテナ素子１６の基部１６ｂと同軸コード９の内側導体９ａとが接続されると共に、他方のアンテナ素子１７の基部１７ｂと同軸コードの外側導体９ｂとは、コイＬ４とバルン１４の第４のコイルＬ８とを通じて接続される。
【００１１】
又、アンテナ素子１６、１７の基部１６ｂ，１７ｂの間にコイルＬ３が接続され、コイルＬ４に並列にコンデンサＣ３が接続され、コンデンサＣ４は、バルン１４の第１のコイルＬ５の入力側端と基板１３のグラウンドパターンＧｐとの間に接続される。このグラウンドパターン（車体）Ｇｐには、同軸コード９の外側導体９ｂも接続される。
【００１２】
そして、バルン１３の第１のコイルＬ５の出力側端と第２のコイルＬ６の出力側端とが接続され、第４のコイルＬ８の出力側端と第３のコイルＬ７の出力側端とが接続されると共に、第２のコイルＬ６の入力側端と第３のコイルＬ７の入力側端とが接続される。
【００１３】
なお、図５に示すように、ミニジャック１１Ｊの一方の端子は基準電位点（グラウンドパターン）としての車体Ｇｂに接続されるが、この基準電位点は、車の内装を一時的にも剥がさなくて良いように、例えば、ダッシュボードの下部等に、ねじ締めの形で設けられる。
【００１４】
又、グラウンド線１８の一端が、例えば、ねじ止めによって、基板１３のグラウンドパターンＧｐに接続されると共に、同軸コード１４の外側導体１４ｂの一端と接続される。
【００１５】
又、グラウンド線１８の他端は、例えば、チューナ１２のミニジャック１１Ｊと共通に、ねじ止めによって、グラウンドとしての車体Ｇｂに接続される。
【００１６】
上述のような形態のアンテナ装置でグラウンド線１８の接続により、基板１４のグラウンドパターンＧｐと、同軸コード９の外側導体９ｂの一端とが、車体Ｇｂの基準電位とほぼ同電位になって、基板１４とチューナ１２での、高周波的に浮いている（フローティング）状態が解消されて不要輻射が低減される。
【００１７】
このフローティング状態の解消により、アンテナ素子１６、１７及び給電部をリアガラスに取り付けた場合にも、車載のテレビジョン受信機からの不要輻射に起因して、リアガラスに既設のＡＭアンテナに誘起されるノイズレベルを、実用上問題にならない程度まで低減することが出来るようにしている。
【００１８】
上記特許文献１にはアンテナの送受信回路の接地側をグランドに接地する回路構成が記載されているが、この発明ではアンテナに可変リアクタンス回路を接続し、これによってアンテナのインピーダンスを調節して、送信波を歪ませることなくアンテナのインピーダンス特性を微調整するものである。
【００１９】
又、特許文献２はアンテナの同軸コードの外側導体がグランド線１８を介してテレビジョン用の基準グランドに接続するアンテナ装置が開示されているが、この発明においても車載テレビジョン用の車内アンテナを車両のリアガラスに取り付けた場合の不要輻射に起因して、リアガラスに既設のＡＭアンテナに誘起されるノイズレベルを低減する様にしたアンテナ装置としたものである。
【特許文献１】特開２００４−３１２１５７号公報
【特許文献２】実開平２０００−１３２６６号公報
【発明の開示】
【発明が解決しようとする課題】
【００２０】
即ち、上記特許文献１及び特許文献２に於いては、受信アンテナ２は可変リアクタンス回路を介し接地電位に落とす構成やアンテナ同軸コードの外側導線がグランド線を介して車両のボデー（基準のグラウンドパターン（車体）Ｇｐ）に接地する構成が示されている、これに対し、本発明のチューナ及び妨害波低減方法並びに電子機器ではチューナのアンテナ出力端子近傍で生ずる妨害波がアンテナ出力回路の後段に接続したＶＴＲ等の回路に与える影響を低減或いは遮断しようとするものである。
【００２１】
従来のチューナ装置では、図６に示すように、アンテナ入力端子２３からの受信信号はチューナ１２のチューナ基板２０に配設されたＲＦ回路やＩＦ回路を通して所定の周波数に変換されて映像信号などに成されてＬＣＤなどに表示される。又、アンテナ入力端子２３からの受信信号はＶＴＲ等にフイルタ回路２１を介し直接的にアンテナ出力端子２２に出力されている。この様なチューナ１２ではチューナ基板２０の接地端子は接地電位のＧＮＤに接地されている。然し、この構成では接地電位のＧＮＤから矢印Ａで示す様な妨害波２４がアンテナ出力端子２２に重畳されアンテナ出力端子２２の後段に接続されるＶＴＲ３２等の回路にノイズを与える課題があった。
【００２２】
本発明は上記の課題を解決するために成されたもので、本発明が解決しようとする課題は、チューナの出力端子からの妨害波の不要輻射ノイズを低減すると共にアンテナ部の強度アップを図り、アンテナの伝送経路のＶＳＷＲ（電圧定在波比）を安定化させたチューナ及び妨害波低減方法並びに電子機器を得ることを目的とするものである。
【課題を解決するための手段】
【００２３】
第１の本発明は、アンテナからの受信信号をチューナシールドケース内のチューナ基板を介して受信し、チューナ基板のアンテナの出力端子よりアンテナ信号を送出する様にしたチューナに於いて、チューナ基板のアンテナの出力端子の接地電位をチューナシールドケースの接地電位と同じに成るように接続したことを特徴とするチューナとしたものである。
【００２４】
第２の本発明は、アンテナからの受信信号をチューナシールドケース内のチューナ基板を介して受信し、チューナ基板のアンテナの出力端子よりアンテナ信号を送出する様にしたチューナの妨害波低減方法に於いて、チューナ基板のアンテナの出力端子の接地電位をチューナシールドケースの接地電位と同じに成るように接続したことを特徴とするチューナの妨害波低減方法としたものである。
【００２５】
第３の本発明は、アンテナからの受信信号をチューナシールドケース内のチューナ基板を介して受信し、チューナ基板のアンテナの出力端子よりアンテナ信号を送出する様にしたチューナを有する電子機器に於いて、チューナ基板のアンテナの出力端子の接地電位をチューナシールドケースの接地電位と同じに成るように接続したことを特徴とする電子機器としたものである。
【発明の効果】
【００２６】
第１乃至第３の本発明によれば、アンテナ出力端子から導出される妨害波の不要輻射を低減することが出来ると共に伝送線路のＶＳＷＲの安定化を図ることが可能なチューナ及び妨害波低減方法並びに電子機器が得られる効果を生ずる。
【発明を実施するための最良の形態】
【００２７】
以下、本発明のチューナの１形態例を説明する。図１乃至図３に於いて、図１は本発明のチューナ及び妨害波低減方法を説明するための系統図、図２は図１のシールドケースの配線状態を示す要部の断面図、図３は本発明の要部の機能的系統図である。以下、図１乃至図３に於いて、図６で説明した構成との対応部分には同一符号を付して説明する。
【００２８】
以下、本発明のチューナ及び妨害波低減方法並びに電子機器を図１乃及び図２の実施の形態例で説明する。本発明の特徴とするところは、チューナのアンテナ出力端子近傍に重畳される妨害波による被りを抑制し、ノイズを低減することが出来るものを得ようとするものである。
【００２９】
図１に於いて、２０はチューナ基板であり、この基板内にはＲＦ回路２４、ＩＦ回路２６等がＩＣ化されている。ＩＣ化されたＲＦ回路２４、ＩＦ回路２６等はチューナ基板２０に搭載される。この場合、チューナ基板２０にパターニングされる印刷配線には図２に示す様にＧＮＤに接地する接地ライン３３が設けられている。
【００３０】
チューナ基板２０は金属製のチューナシールドケース２７内にビス等で固定されている。このチューナシールドケース２７は略箱型に形成され、その右側面にはアンテナからの受信信号が供給される接栓座からなるアンテナ入力端子２３及びアンテナからの受信信号を送信する接栓座からなるアンテナ出力端子２２が固定されている。
【００３１】
アンテナ入力端子２３からのアンテナ受信信号（ＡＮＴＩＮ）はＲＦ回路２５で高周波増幅され、ＩＦ回路２６などで中間周波数に変換された後、所定チューニング信号がチューナ基板２０の出力回路から取り出される。一方、アンテナ入力端子２３から供給された受信信号は分配器（図示せず）等のフイルタ回路（図３、６参照）２１を介して直接的或いはチューニングされた所定のチャンネル周波数がアンテナ出力端子２２からＶＴＲ等に供給される。
【００３２】
上述した様にアンテナ受信信号をアンテナ出力端子２２近傍からＶＴＲ等に供給する際にチューナ基板２０の接地ライン３３を介してＧＮＤに接地した接地点を通して妨害波２４がＶＴＲ３２に混入する。この為、本発明では図に示す様にチューナ基板２０の接地ライン３３とチューナシールドケース２７と半田付２８により一体化させると共にチューナ基板２０のＧＮＤとチューナシールドケース２７のＧＮＤ１とを一体化する。
【００３３】
本発明では図３の模式図に示す様にチューナシールドケース２７のＧＮＤ１とチューナ基板２０のＧＮＤが同電位となるためチューナ基盤２０のＧＮＤに存在する妨害波を抑制し、アンテナ出力端子２２に誘起されるノイズレベルを低減することができる。
【００３４】
又、チューナ基板２０からの輻射が低減されると共にチューナ基部２０を含むアンテナ部を強固にチューナシールドケース２７に固定出来てアンテナの強度アップを図ることが出来る。
【００３５】
更に、チューナ基板２０のＧＮＤがより接地電位に近づく為アンテナを含む伝送経路のＶＳＷＲを安定化することが可能となる。更に又、チューナシールドケース２７とチューナ基板２０の接着力が増す為に長期に亘って信頼性を保持可能となる等の効果を有する。
【産業上の利用可能性】
【００３６】
尚、上述の回路構成では、チューナについて説明したが、チューナを有する各種の映像、音声信号の受信装置或いは送受信装置、テープ或いはデイスク記録再生装置、携帯電話機、ＰＤＡ等の電子機器に適用可能である。
【図面の簡単な説明】
【００３７】
【図１】本発明のチューナ及び妨害波低減方法の説明に供する系統図である。
【図２】図１のシールドケース及びチューナ基板の配線状態を示す要部の断面図である。
【図３】本発明の要部の模式的系統図である。
【図４】従来の無線通信装置の系統図及び可変リアクタンスの回路図である。
【図５】従来のアンテナ装置の要部の系統図である。
【図６】従来のチューナ装置の模式的な系統図である。
【符号の説明】
【００３８】
１２…チューナ、２０…チューナ基板、２１…フイルタ回路、２２…アンテナ出力端子、  ２３…アンテナ入力端子、  ２５…ＲＦ回路、  ２６…ＩＦ回路、  ２７…チューナシールドケース、  ３２…ＶＴＲ、  ３３…接地ライン、ＧＮＤ、ＧＮＤ１…接地
【図１】
2006203579.tif 000003
【図２】
2006203579.tif 000004
【図３】
2006203579.tif 000005
【図４】
2006203579.tif 000006
【図５】
2006203579.tif 000007
【図６】
2006203579.tif 000008